【手続補正書】
【提出日】平成29年7月14日(2017.7.14)
【手続補正１】
【補正対象書類名】明細書
【補正対象項目名】０１１２
【補正方法】変更
【補正の内容】
【０１１２】
開示した実施形態の様々な修正及び変更は、本開示の範囲及び原理から逸脱することなしに当業者には明白であり、また、本開示は、本明細書に記載した例示的な実施形態に不当に制限されるものではないと理解すべきである。本発明の実施態様の一部を以下の態様［１］−［３０］に記載する。
［態様１］
第１の透明基材と、
前記第１の透明基材上に配設された第１の透明導電層と、
第２の透明基材と、
前記第２の透明基材上に配設された第２の透明導電層と、
前記第１の透明導電層と前記第２の導電層との間に接触して配設された高分子安定化コレステリックテクスチャ層及びスペーサ要素と、を含む切替可能な表示スクリーンを備え、前記表示スクリーンが、複数のアドレス指定可能な領域を含み、それぞれの領域が透明状態から拡散状態へ切替可能である、表示システム。
［態様２］
前記第１の透明導電層及び前記第２の透明導電層のうち少なくとも１つは、前記アドレス指定可能な領域に対するコンタクト及び電気的リードを形成するようにパターン化される、態様１に記載の表示システム。
［態様３］
前記第１の透明導電層と前記第２の透明導電層の両方は、前記アドレス指定可能な領域に対するコンタクト及び電気的リードを形成するようにパターン化されており、
前記アドレス指定可能な領域は、パッシブマトリックス駆動であるように構成されている、態様１に記載の表示システム。
［態様４］
前記第１の透明導電層及び前記第２の透明導電層のうち少なくとも１つは、インジウムスズ酸化物、アンチモンスズ酸化物、フッ素ドープ酸化スズ、ドープ酸化亜鉛、グラフェン、ポリアセチレン類、ポリアニリン類、ポリピロール類、ポリチオフェン類、ポリ（３，４−エチレンジオキシチオフェン）−ポリスチレンスルホネート（PEDOT／PSS）、ナノワイヤ、又はドープポリ（４，４−ジオクチルシクロペンタジチオフェン）を含む、態様１に記載の表示システム。
［態様５］
マスクを含む照明装置を更に備え、前記照明及びマスクが、形づくられたコンテンツを有する光を前記表示スクリーン上に投影するように配置される、態様１に記載の表示システム。
［態様６］
前記マスクが、仮想マスクを備える、態様５に記載の表示システム。
［態様７］
前記投影光の形づくられたコンテンツが、前記複数のアドレス指定可能な領域のうち少なくとも１つの前記拡散状態と同期される、態様５に記載の表示システム。
［態様８］
前記投影光の形づくられたコンテンツが、前記拡散状態にある前記複数のアドレス指定可能な領域の形状と実質的に整合する、態様７に記載の表示システム。
［態様９］
前記投影光の前記形づくられたコンテンツが変化するとき、前記アドレス指定可能な領域の形状は、透明状態から拡散状態に、又は拡散状態から透明状態に、前記投影光の変化と同期して変化する、態様７に記載の表示システム。
［態様１０］
投影光が、低帯域幅の同期を用いて、前記複数のアドレス指定可能な領域のうち少なくとも１つの前記拡散状態と同期される、態様７に記載の表示システム。
［態様１１］
前記低帯域幅の同期が音声トーンを含む、態様１０に記載の表示システム。
［態様１２］
投影光が、高帯域幅の同期を用いて、前記複数のアドレス指定可能な領域のうち少なくとも１つの前記拡散状態と同期される、態様７に記載の表示システム。
［態様１３］
複数のアドレス指定可能な領域を含み、それぞれの領域が透明状態から拡散状態に切替することが可能な、切替可能な表示スクリーンと、
光を前記切替可能な表示スクリーンに投影するための照明装置と、
一連の投影された位置合わせ内容を取得するように構成される画像センサと、
前記画像センサと電子的に結合され、前記一連の取得位置合わせ内容を受信するとともに、前記投影光を、拡散状態にある前記アドレス指定可能な領域のうち少なくとも１つか、又は透明状態にある電気的に絶縁された領域のうち少なくとも１つと位置合わせするように構成される処理装置と、を備える表示システム。
［態様１４］
前記アドレス指定可能な領域は、パッシブマトリックス駆動であるように構成されるｘ−ｙアドレス指定可能なアレイを備える、態様１３に記載の表示システム。
［態様１５］
前記処理装置が、前記画像センサからの前記取得された投影位置合わせ内容に基づいて位置合わせ要素を決定するように更に構成される、態様１４に記載の表示システム。
［態様１６］
前記処理装置が、前記位置合わせ要素に基づいてプレゼンテーション内容を調整し、調整されたプレゼンテーション内容を前記照明装置に提供するように更に構成される、態様１５に記載の表示システム。
［態様１７］
前記表示スクリーンの境界に近接した１つ又は２つ以上の位置合わせマークを更に含む、態様１４に記載の表示システム。
［態様１８］
前記１つ又は２つ以上の位置合わせマークは、投影された位置合わせマークである、態様１７に記載の表示システム。
［態様１９］
前記処理装置が、１つ又は２つ以上の位置合わせマークの位置に基づいて位置合わせ要素を決定するように更に構成される、態様１４に記載の表示システム。
［態様２０］
前記処理装置が、前記位置合わせ要素に基づいて前記取得された位置合わせ内容を調整し、前記調整されたプレゼンテーション内容を前記照明装置に提供するように更に構成される、態様１９に記載の表示システム。
［態様２１］
切替可能な表示スクリーンの１つ又は２つ以上の領域を、透明状態から拡散状態に切り替える工程であって、前記切替可能な表示スクリーンが、
第１の透明基材と、
前記第１の透明基材上に配設された第１の透明導電層と、
第２の透明基材と、
前記第２の透明基材上に配設された第２の透明導電層と、
前記第１の透明導電層と前記第２の導電層との間に接触して配設された高分子安定化コレステリックテクスチャ層及びスペーサ要素と、を備える、工程と、
光を拡散状態にある前記１つ又は２つ以上のアドレス指定可能な領域に投影する工程と、を含む、切替可能な表示システムを操作する方法。
［態様２２］
光を投影する工程が、マスクを用いて形づくられたコンテンツを有する光を投影する工程を含む、態様２１に記載の切替可能な表示システムを操作する方法。
［態様２３］
前記形づくられたコンテンツを有する光を投影する工程と、前記切替可能なディスプレイの領域を切り替える工程とを同期する工程を更に含む、態様２２に記載の切替可能な表示システムを操作する方法。
［態様２４］
前記形づくられたコンテンツを有する光を投影する工程と、前記切替可能なディスプレイの領域を切り替える工程とを、音声トーンを用いて同期する工程を更に含む、態様２３に記載の切替可能な表示システムを操作する方法。
［態様２５］
前記形づくられたコンテンツを有する光を投影する工程と、前記切替可能なディスプレイの領域を切り替える工程とを、少なくとも映像信号と音声信号を含む高帯域幅情報を用いて同期する工程を更に含む、態様２３に記載の切替可能な表示システムを操作する方法。
［態様２６］
前記形づくられたコンテンツを有する光を投影する工程と、前記切替可能なディスプレイの領域を切り替える工程とを、輝度閾値化を用いて同期する工程を更に含む、態様２３に記載の切替可能な表示システムを操作する方法。
［態様２７］
前記投影光を、前記拡散状態にある前記１つ又は２つ以上のアドレス指定可能な領域と位置合わせする工程を更に含む、態様２１に記載の切替可能な表示システムを操作する方法。
［態様２８］
光を投影する工程は、形づくられたコンテンツを有する光を投影する工程を含み、
前記投影光を位置合わせする工程が、前記形づくられたコンテンツを、前記拡散状態にある前記１つ又は２つ以上のアドレス指定可能な領域と位置合わせする工程を含む、態様２７に記載の切替可能な表示システムを操作する方法。
［態様２９］
前記投影光の前記形づくられたコンテンツを位置合わせする工程が、位置合わせマークを用いて前記形づくられたコンテンツを位置合わせする工程を含む、態様２７に記載の切替可能な表示システムを操作する方法。
［態様３０］
前記投影光の前記形づくられたコンテンツを位置合わせする工程が、投影された位置合わせ内容を用いて前記形づくられたコンテンツを位置合わせする工程を含む、態様２７に記載の切替可能な表示システムを操作する方法。
【手続補正２】
【補正対象書類名】特許請求の範囲
【補正対象項目名】全文
【補正方法】変更
【補正の内容】
【特許請求の範囲】
【請求項１】
第１の透明基材と、
前記第１の透明基材上に配設された第１の透明導電層と、
第２の透明基材と、
前記第２の透明基材上に配設された第２の透明導電層と、
前記第１の透明導電層と前記第２の導電層との間に接触して配設された高分子安定化コレステリックテクスチャ層及びスペーサ要素と、を含む切替可能な表示スクリーンを備え、前記表示スクリーンが、複数のアドレス指定可能な領域を含み、それぞれの領域が透明状態から拡散状態へ切替可能である、表示システム。
【請求項２】
マスクを含む照明装置を更に備え、前記照明及びマスクが、形づくられたコンテンツを有する光を前記表示スクリーン上に投影するように配置される、請求項１に記載の表示システム。
【請求項３】
前記投影光の形づくられたコンテンツが、前記複数のアドレス指定可能な領域のうち少なくとも１つの前記拡散状態と同期される、請求項２に記載の表示システム。
【請求項４】
前記投影光の形づくられたコンテンツが、前記拡散状態にある前記複数のアドレス指定可能な領域の形状と実質的に整合する、請求項３に記載の表示システム。
【請求項５】
前記投影光の前記形づくられたコンテンツが変化するとき、前記アドレス指定可能な領域の形状は、透明状態から拡散状態に、又は拡散状態から透明状態に、前記投影光の変化と同期して変化する、請求項３に記載の表示システム。
【請求項６】
複数のアドレス指定可能な領域を含み、それぞれの領域が透明状態から拡散状態に切替することが可能な、切替可能な表示スクリーンと、
光を前記切替可能な表示スクリーンに投影するための照明装置と、
一連の投影された位置合わせ内容を取得するように構成される画像センサと、
前記画像センサと電子的に結合され、前記一連の取得位置合わせ内容を受信するとともに、前記投影光を、拡散状態にある前記アドレス指定可能な領域のうち少なくとも１つか、又は透明状態にある電気的に絶縁された領域のうち少なくとも１つと位置合わせするように構成される処理装置と、を備える表示システム。
【請求項７】
前記アドレス指定可能な領域は、パッシブマトリックス駆動であるように構成されるｘ−ｙアドレス指定可能なアレイを備える、請求項６に記載の表示システム。
【請求項８】
前記処理装置が、前記画像センサからの前記取得された投影位置合わせ内容に基づいて位置合わせ要素を決定するように更に構成され、かつ、前記処理装置が、前記位置合わせ要素に基づいてプレゼンテーション内容を調整し、調整されたプレゼンテーション内容を前記照明装置に提供するように更に構成される、請求項７に記載の表示システム。
【請求項９】
前記処理装置が、１つ又は２つ以上の位置合わせマークの位置に基づいて位置合わせ要素を決定するように更に構成され、かつ、前記処理装置が、前記位置合わせ要素に基づいて前記取得された位置合わせ内容を調整し、前記調整されたプレゼンテーション内容を前記照明装置に提供するように更に構成される、請求項７に記載の表示システム。
【請求項１０】
切替可能な表示スクリーンの１つ又は２つ以上の領域を、透明状態から拡散状態に切り替える工程であって、前記切替可能な表示スクリーンが、
第１の透明基材と、
前記第１の透明基材上に配設された第１の透明導電層と、
第２の透明基材と、
前記第２の透明基材上に配設された第２の透明導電層と、
前記第１の透明導電層と前記第２の導電層との間に接触して配設された高分子安定化コレステリックテクスチャ層及びスペーサ要素と、を備える、工程と、
光を拡散状態にある前記１つ又は２つ以上のアドレス指定可能な領域に投影する工程と、を含む、切替可能な表示システムを操作する方法。